(57)【要約】  被収容物の数が減った場合でも、被収容物を容易に取り出すことができるパッケージに関する技術を提供する。本発明は、被収容物を収容し、被収容物を取り出す開口を有する略直方体形状の収容部と、前記開口を少なくとも覆う蓋部と、を含むパッケージであって、前記被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、前記昇降部と連結し、当該昇降部を昇降させる連結部と、を備える。
2015141013.tif 000002
【特許請求の範囲】
【請求項１】
被収容物を収容し、被収容物を取り出す開口を有する略直方体形状の収容部と、前記開口を少なくとも覆う蓋部と、を含むパッケージであって、
前記被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、
前記昇降部と連結し、当該昇降部を昇降させる連結部と、を備えるパッケージ。
【請求項２】
前記昇降部は、前記小箱が上昇する際、各小箱に収容される被収容物同士の前記前後方向の間隔が、当該被収容物の上側になるにつれて徐々に広がるように昇降する、請求項１に記載のパッケージ。
【請求項３】
前記被収容物同士の間隔は、前記接続部の長さによって定められる、請求項２に記載のパッケージ。
【請求項４】
前記連結部は、前記昇降部と前記蓋部と連結し、前記蓋部の開閉に連動して前記昇降部を昇降させる、請求項１から３の何れか１項に記載のパッケージ。
【請求項５】
前記接続部は、前後の小箱の上縁同士を接続する、請求項１から４の何れか１項に記載のパッケージ。
【請求項６】
前記接続部は、前後の小箱の下縁同士を接続する、請求項１から４の何れか１項に記載のパッケージ。
【請求項７】
前記収容部は、前記昇降部が上昇した際、被収容物が前側に傾斜するよう、前側の少なくとも一部が開口し、
前記蓋部は、前記収容部の開口を覆う、請求項１から６の何れか１項に記載のパッケージ。
【請求項８】
前記収容部の前側角部に沿って設けられ、前記前側の開口の縁から下側に延出する切り込みを更に備える、請求項７に記載のパッケージ。
【請求項９】
前記蓋部と連なり、下側に延出する舌状片であって、前記連結部と接し、前記蓋部の開閉に連動して前記連結部の昇降を補助する舌状片を更に備える、請求項４に記載のパッケージ。
【請求項１０】
前記ヒンジの下側に設けられた第２ヒンジと、
前記収容部の後側角部に沿って設けられ、前記ヒンジから前記第２ヒンジ側に延出する切り込みと、を更に備える、請求項１に記載のパッケージ。
【発明の詳細な説明】
【技術分野】
【０００１】
本発明は、パッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、蓋（リッド）を備えたヒンジリッドパッケージ（ヒンジリッドボックスとも言う）が知られている。この種のヒンジリッドパッケージは、通常、ボックス状の外形を有し、シガレット束を収容する収容部と、収容部の上部に形成される開口端を開閉するための蓋が、開口端の縁部に沿って設けられるヒンジを介して回動自在に連結されている。【０００３】
たばこ商品等の被収容物の取り出しやすさを改善するため、被収容物のリフトアップ機構を備えるパッケージが提案されている。例えば、特許文献１には、蓋の開閉に伴って往復運動する第１操作子又は箱ボディに対して昇降方向に往復可能な内包材とは別体の第２操作子を含み、該操作子の往動に伴い、前面及び後面の一方の面を引き上げることで、シガレット束とともに底面を斜めにリフトアップさせる引上げ機構を具備するシガレットボックスが開示されている。また、例えば、特許文献２には、容器の底壁の喫煙物品を持ち上げるために少なくとも１つの喫煙物品と相互に関連付けられた持ち上げ要素を含み、持ち上げ要素が喫煙物品の外側上端部分に係合可能な係合部分を有する容器が開示されている。
【先行技術文献】
【特許文献】
【０００４】
【特許文献１】ＷＯ２０１３／０７６８６３号パンフレット
【特許文献２】特表２０１３−５００２１２号公報
【発明の概要】
【発明が解決しようとする課題】
【０００５】
従来技術として、シガレットがリフトアップするものが存在する。このような従来技術では、シガレットがリフトアップされるため、シガレットをパッケージから容易に取り出すことができる。但し、このような従来技術は、シガレットの数が少なくなると、例えば、シガレットが斜めになることがある。この場合、シガレットが上昇してもシガレットの上側端部が突出しないことから、シガレットの上側端部を摘めないことがある。なお、上記課題は、シガレットを収容するパッケージに限らず、シガレット以外の被収容物を収容するパッケージにおいても存在する。【０００６】
本発明は、上記の問題に鑑み、被収容物の数が減った場合でも、被収容物を容易に取り出すことができるパッケージに関する技術を提供することを課題とする。
【課題を解決するための手段】
【０００７】
本発明は、上述した課題を解決するため、被収容物を複数列に分けて収容し、列毎に昇降する小箱と、小箱を列が連なる前後方向に接続し、かつ、小箱の上昇に伴い、小箱同士の間に間隔を形成する接続部と、を有する昇降部を備えることとした。【０００８】
詳細には、本発明は、被収容物を収容し、被収容物を取り出す開口を有する略直方体形状の収容部と、前記開口を少なくとも覆う蓋部と、を含むパッケージであって、前記被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、前記昇降部と連結し、当該昇降部を昇降させる連結部と、を備えるパッケージである。【０００９】
本発明に係るパッケージは、昇降部が列毎で区分けされている。そのため、被収容物の数が減った場合でも、昇降部が区分けされていない場合と比較すると、被収容物の移動範囲を少なくすることができる。その結果、本発明に係るパッケージは、被収容物の数が減った場合でも、被収容物が斜めになるようなことが低減される。つまり、本発明に係るパッケージでは、被収容物を収容する小箱が列毎で昇降し、更に、被収容物が小箱に収容されることで移動範囲が少なくなるため、被収容物をパッケージから容易に取り出すことができる。また、小箱同士が接続部で接続されており、連結部の昇降に連動して、複数の小箱を昇降させることができる。更に、接続部によって、小箱同士の間に間隔を形成することができ、被収容物同士が前後方向において離間するため掴み易くなる。そのため、小箱同士が接近している場合と比較して、被収容物をパッケージから容易に取り出すことができる。【００１０】
ここで、前記昇降部は、前記小箱が上昇する際、各小箱に収容される被収容物同士の前記前後方向の間隔が、当該被収容物の上側になるにつれて徐々に広がるように昇降することができる。換言すると、小箱に収容された被収容物は、側面視扇状に広がるように上昇することができる。本発明に係るパッケージでは、列毎に小箱が上昇することに加えて、前後方向の間隔が広がることから、被収容物の上側が非常に掴み易く、小箱に収容されている被収容物を容易に取り出すことができる。【００１１】
また、前記被収容物同士の間隔は、前記接続部の前記前後方向の長さによって定めることができる。例えば、接続部の前記前後方向の長さを長くすることで、被収容物同士の間隔を長くすることができる。接続部の前記前後方向の長さは、被収容物の大きさ、形状、被収容物の主なユーザ層等に応じて適宜設計することができる。【００１２】
また、前記連結部は、前記昇降部と前記蓋部とを連結し、前記蓋部の開閉に連動して前記昇降部を昇降させるようにしてもよい。連結部は、昇降部と蓋部とを連結することで、蓋部の開閉に連動して昇降部を昇降させることができる。つまり、蓋部を開閉するだけで、換言すると、昇降するための操作を別途行うことなく、被収容物が昇降するので、被収容物をパッケージから容易に取り出すことができる。なお、連結部は、連結部を直接把持して、昇降部を昇降させるものでもよい。【００１３】
前記接続部は、前後の小箱の上縁同士を接続することができる。また、前記接続部は、前後の小箱の下縁同士を接続することもできる。更に、前記接続部は、前後の小箱の上縁、又は下縁以外の領域同士を接続することもできる。小箱同士の接続位置は特に限定されないが、前後の小箱の上縁同士を接続することで、前後方向における被収容物の間隔をより効率よく広げることができる。また、小箱の上縁同士を接続することで、小箱の前後方向の広がりを規制することができる。例えば、複数の接続部の前後方向の長さを統一することで、小箱同士を同一間隔で広げることができる。その結果、小箱を側面視扇状に広げた際の美観をより向上することができる。【００１４】
また、前記収容部は、前記昇降部が上昇した際、被収容物が前側に傾斜するよう、前側の少なくとも一部が開口し、前記蓋部は、前記収容部の開口を覆うようにしてもよい。収容部の前側の一部（例えば、上部）を開口することで、被収容物の取り出しが容易になり、また、前後方向における被収容物の間隔が広がり易くなる。その結果、被収容物をパッケージから更に容易に取り出すことができる。【００１５】
また、本発明に係るパッケージは、前記収容部の前側角部に沿って設けられ、前記前側の開口の縁から下側に延出する切り込みを更に備える構成としてもよい。これにより、前後方向における被収容物の間隔が広がり易くなり、その結果、被収容物をパッケージから更に容易に取り出すことができる。【００１６】
また、本発明に係るパッケージは、前記蓋部と連なり、下側に延出する舌状片であって、前記連結部と接し、前記蓋部の開閉に連動して前記連結部の昇降を補助する舌状片を更に備える構成としてもよい。【００１７】
本発明に係るパッケージは、舌状片を備えることで、従来の蓋部の開閉に連動してリフトアップするパッケージと比較して、強度も向上し、安定的に昇降部を昇降することができる。単に、蓋部と昇降部を連結して昇降部を昇降させる構成では、蓋部と昇降部を連結する部分に負荷が集中するが、舌状片が昇降を補助することで、負荷も分散される。その結果、強度も向上し、昇降部の安定的な昇降が可能となる。また、舌状片の長さを調整することで、昇降の移動範囲を調整することができ、例えば従来のパッケージよりも昇降の移動範囲を大きくすることができる。【００１８】
ここで、舌状片は、連結部と接し、蓋部を開閉する際、舌状片の先端で連結部を押しながら、連結部の昇降を補助することができる。但し、連結部の前側には収容部に収容された被収容物が存在している。したがって、特に収容部が被収容物で満たされている場合、連結部が被収容物と舌状片に挟まれ、連結部の昇降が被収容物との干渉によって妨げられることが想定される。そこで、本発明は、蓋部を開閉する際、ヒンジを後側に逃がすようにしてもよい。【００１９】
具体的には、本発明に係るパッケージは、前記ヒンジの下側に設けられた第２ヒンジと、前記収容部の後側角部に沿って設けられ、前記ヒンジから前記第２ヒンジ側に延出する切り込みと、を更に備える構成とすることができる。【００２０】
これにより、蓋部を開閉する際、ヒンジを後側に逃がすことができ、連結部と被収容物との干渉を抑制することができる。その結果、蓋部の開閉に連動して、より円滑に昇降部を昇降することができる。切り込みは、第２ヒンジまで延出していることが好ましいが、第２ヒンジよりも下側まで延出していてもよい。また、第２ヒンジを設けず、切り込みだけ設けてもよい。この場合、蓋を開閉する際、ヒンジを後方に逃がす機能は第二ヒンジを設けたときに比べ劣るが、より簡易にパッケージの組み立てを行うことができる。【００２１】
また、本発明に係るパッケージでは、被収容物が上昇するため、蓋部を閉じる際、蓋部が被収容物の上側端部と干渉し、蓋部の開閉が妨げられることが想定される。そこで、本発明では、更に、ヒンジと切り込みを設けるようにしてもよい。【００２２】
具体的には、本発明に係るパッケージは、前記ヒンジの上側に設けられた第３ヒンジと、前記蓋部の後側角部に沿って設けられ、前記ヒンジから前記第３ヒンジ側に延出する切り込みと、を更に備える構成でもよい。【００２３】
これにより、蓋部の開度をより大きくすることができ、蓋部と被収容物との干渉を抑制し、蓋部の開閉を更に円滑に行うことができる。その結果、被収容物をパッケージから更に容易に取り出すことができる。【００２４】
また、本発明に係るパッケージは、収容部が蓋部の開閉を規制する爪部を更に有する構成としてもよい。これにより、蓋部の開閉を規制することができる。【００２５】
なお、本発明は、上述した昇降部を含む昇降装置として特定することもできる。例えば、本発明は、被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、昇降部と連結し、当該昇降部を昇降させる連結部とを備える昇降装置である。【００２６】
パッケージの収容部に収容する被収容物は特に限定されるものではないが、棒状物品の集合体、例えばたばこ商品を被収容物として好適に例示できる。すなわち、本発明に係る被収容物はたばこ商品であってもよい。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００２７】
なお、本発明における課題を解決するための手段は、可能な限り組み合わせて採用することができる。
【発明の効果】
【００２８】
本発明によれば、被収容物の数が減った場合でも、被収容物を容易に取り出すことができるパッケージに関する技術を提供することができる。
【図面の簡単な説明】
【００２９】
【図１Ａ】図１Ａは、第１実施形態に係るパッケージを前方上部から見た透視斜視図であり、パッケージの閉状態を示す。
【図１Ｂ】図１Ｂは、第１実施形態に係るパッケージを後方下部から見た透視斜視図であり、パッケージの閉状態を示す。
【図１Ｃ】図１Ｃは、第１実施形態に係るパッケージを前方上部から見た透視斜視図であり、パッケージの開状態を示す。
【図１Ｄ】図１Ｄは、第１実施形態に係るパッケージを後方下部から見た透視斜視図であり、パッケージの開状態を示す。
【図２Ａ】図２Ａは、第１実施形態に係るパッケージを前方上部から見た分解斜視図を示す。
【図２Ｂ】図２Ｂは、第１実施形態に係るパッケージの小箱の拡大斜視図であり、接続部を折り曲げた状態を示す。
【図２Ｃ】図２Ｃは、第１実施形態に係るパッケージの小箱の拡大斜視図であり、接続部を広げた状態を示す。
【図２Ｄ】図２Ｄは、第１実施形態に係るパッケージの小箱であり、シガレット収容前の拡大斜視図を示す。
【図２Ｅ】図２Ｅは、第１実施形態に係るパッケージの小箱であり、シガレット収容後の拡大斜視図を示す。
【図２Ｆ】図２Ｆは、図２ＥのＡ−Ａ断面図を示す。
【図３Ａ】図３Ａは、第１実施形態に係るパッケージのうち、パッケージ本体及びリッドのブランクを示す。
【図３Ｂ】図３Ｂは、第１実施形態に係るパッケージのうち、小箱のブランクを示す。
【図４】図４は、第１実施形態に係るパッケージを前方上部から見た透視斜視図であり、パッケージの開閉状態を示す。
【図５】図５は、第１実施形態に係るパッケージを前方下部から見た透視斜視図であり、パッケージの開閉状態を示す。
【図６】図６は、第１実施形態に係るパッケージを後方下部から見た透視斜視図であり、パッケージの開閉状態を示す。
【図７】図７は、第１実施形態に係るパッケージを側方から見た透視斜視図であり、パッケージの開閉状態を示す。
【図８Ａ】図８Ａは、第１実施形態に係るパッケージの動作説明図（１）を示す。
【図８Ｂ】図８Ｂは、第１実施形態に係るパッケージの動作説明図（２）を示す。
【図９Ａ】図９Ａは、第２実施形態に係るパッケージを前方上部から見た透視斜視図であり、パッケージの閉状態を示す。
【図９Ｂ】図９Ｂは、第２実施形態に係るパッケージを後方下部から見た透視斜視図であり、パッケージの閉状態を示す。
【図９Ｃ】図９Ｃは、第２実施形態に係るパッケージを前方上部から見た透視斜視図であり、パッケージの開状態を示す。
【図９Ｄ】図９Ｄは、第２実施形態に係るパッケージを後方下部から見た透視斜視図であり、パッケージの開状態を示す。
【図１０】図１０は、第２実施形態に係るパッケージを後方下部から見た透視斜視図であり、パッケージの開閉状態を示す。
【図１１】図１１は、第３実施形態に係るパッケージの小箱の拡大斜視図であり、接続部を広げた状態を示す。
【図１２】図１２は、第３実施形態に係るパッケージのうち、小箱のブランクを示す。
【図１３Ａ】図１３Ａは、第３実施形態に係るパッケージを側方から見た透視斜視図であり、パッケージの閉状態を示す。
【図１３Ｂ】図１３Ｂは、第３実施形態に係るパッケージを側方から見た透視斜視図であり、パッケージの開状態を示す。
【図１３Ｃ】図１３Ｃは、第３実施形態に係るパッケージの動作説明図であり、パッケージの閉状態を示す。
【図１３Ｄ】図１３Ｄは、第３実施形態に係るパッケージの動作説明図であり、パッケージの開状態を示す。
【図１４】図１４は、第４実施形態に係るパッケージの小箱の拡大斜視図であり、接続部を広げた状態を示す。
【図１５】図１５は、第４実施形態に係るパッケージのうち、小箱のブランクを示す。
【図１６Ａ】図１６Ａは、第４実施形態に係るパッケージを側方から見た透視斜視図であり、パッケージの閉状態を示す。
【図１６Ｂ】図１６Ｂは、第４実施形態に係るパッケージを側方から見た透視斜視図であり、パッケージの開状態を示す。
【図１６Ｃ】図１６Ｃは、第４実施形態に係るパッケージの動作説明図であり、パッケージの閉状態を示す。
【図１６Ｄ】図１６Ｄは、第４実施形態に係るパッケージの動作説明図であり、パッケージの開状態を示す。
【図１７Ａ】図１７Ａは、第５実施形態に係るパッケージを前方上部から見た透視斜視図であり、パッケージの閉状態を示す。
【図１７Ｂ】図１７Ｂは、第５実施形態に係るパッケージを後方下部から見た透視斜視図であり、パッケージの閉状態を示す。
【図１７Ｃ】図１７Ｃは、第５実施形態に係るパッケージを前方上部から見た透視斜視図であり、パッケージの開状態を示す。
【図１７Ｄ】図１７Ｄは、第５実施形態に係るパッケージを後方下部から見た透視斜視図であり、パッケージの開状態を示す。
【図１８】図１８は、第５実施形態に係るパッケージのうち、パッケージ本体及びリッドのブランクを示す。
【図１９】図１９は、第５実施形態に係るパッケージを前方上部から見た透視斜視図であり、パッケージの開閉状態を示す。
【図２０Ａ】図２０Ａは、第５実施形態に係るパッケージの動作説明図（１）を示す。
【図２０Ｂ】図２０Ｂは、第５実施形態に係るパッケージの動作説明図（２）を示す。
【図２１】図２１は、第６実施形態に係るパッケージ１００ｆを後方上部から見た斜視図を示す。
【図２２】図２２は、第７実施形態に係るパッケージのブランクを示す。
【発明を実施するための形態】
【００３０】
次に、本発明に係るパッケージをヒンジリッドパッケージに適用した実施形態について、図面に基づいて説明する。本発明が適用されるヒンジリッドパッケージに収容する被収容物は特定のものに限定されないが、ここでは、フィルタシガレットや両切シガレット等のたばこ商品をパッケージに収容する場合を例に説明する。また、本実施形態に記載されている構成要素の、材質、形状、その相対配置等は、特に特定的な記載がない限りは、発明の技術的範囲をそれらのみに限定する趣旨のものではない。
【００３１】
＜第１実施形態＞
例えば図４に示すように、第１実施形態に係るパッケージ１００ａは、リッド２ａの開閉に連動して各小箱３ａが列毎に昇降する。更に、小箱３ａ同士を接続する接続部８ａによって、小箱３ａ同士の間に間隔が形成される。その結果、シガレット６は、列毎に上昇するだけでなく、前後方向において互いに間隔が形成される。そのため、シガレット６がより掴み易く、パッケージ１００ａから取り出しやすくなっている。
【００３２】
図１Ａから図１Ｄ、及び図２Ａから図２Ｃ等に示すように、第１実施形態に係るパッケージ１００ａは、直方体形状を有する所謂ヒンジ蓋付きボックス型パッケージである。パッケージ１００ａは、収容部としてのパッケージ本体１ａと、パッケージ本体１ａに第１ヒンジＨ１を介して回動自在に連結される蓋部としてのリッド２ａと、リッド２ａの開閉に連動して昇降する昇降部として小箱３ａと、リッド２ａと小箱３ａと連結する連結部としての連結プレート４ａと、連結プレート４ａの昇降を補助する補助部としての舌状片５ａとを主な構成とする。以下、本明細書では、特に言及する場合を除いて、パッケージ１００ａの正面側を“前方”と定義し、背面側を“後方”と定義する。また、パッケージ１００ａのリッド側を“上方”と定義し、反対側（パッケージの底側）を“下方”と定義する。また、パッケージ１００ａの側壁側を“側方”又は“横方向”と定義する。第１実施形態に係るパッケージ１００ａは、例えば紙材、又は樹脂によって構成することができるが、これには限定されない。
【００３３】
＜＜パッケージ本体＞＞
パッケージ本体１ａは、シガレット６を収容するもので、直方体形状の上端側が斜めに切り欠かれるとともに、前方が大きく開放された形状を有する箱体である。パッケージ本体１ａは、パッケージ本体の前壁１１ａ、パッケージ本体の後壁１２ａ、パッケージ本体の側壁１３ａ、パッケージ本体の下壁１４ａを有する。パッケージ本体の後壁１２ａは縦長の長方形である。一方、パッケージ本体の前壁１１ａは、パッケージ本体の後壁１２ａに比べて高さ寸法が短く形成されている。パッケージ本体の前壁１１ａとパッケージ本体の後壁１２ａは対向している。一組のパッケージ本体の側壁１３ａは、パッケージ本体の前壁１１ａ及びパッケージ本体の後壁１２ａの両側縁と連結され、長方形の上端が曲線状の斜辺となった形状である。パッケージ本体の側壁１３ａの上端縁１３１ａは、パッケージ本体の前壁１１ａ側が低くなるように傾斜している。パッケージ本体の下壁１４ａは、長方形であり、パッケージ本体の前壁１１ａ、パッケージ本体の後壁１２ａ、及びパッケージ本体の側壁１３ａの下端縁に連結されている。また、パッケージ本体の後壁１２ａには、第１ヒンジＨ１、舌状片５ａ、第２ヒンジＨ２、切り込み７ａが形成されている。
【００３４】
第１ヒンジＨ１は、パッケージ本体の後壁１２ａとリッドの後壁２２ａとの境界に形成され、後部間に亘って延伸し、リッド２ａの回動軸の一つとして機能するとともに、リッド２ａの開閉時、第３ヒンジＨ３を後方に逃がす。
【００３５】
舌状片５ａは、第１ヒンジＨ１の中央付近から下方に向けて形成されている。舌状片５ａは、パッケージ本体の後壁１２ａを第１ヒンジＨ１の中央付近でＵ字状に切り欠くことで形成されている。舌状片５ａは、リッドの後壁２２ａと連なっており、リッド２ａの開閉に連動して回動し、先端が昇降する。また、舌状片５ａは、内面が連結プレート４ａの外面と接している。そのため、舌状片５ａがリッド２ａの開閉に連動して回動すると、舌状片５ａと接する連結プレート４ａも舌状片５ａの動きに連動して昇降する。本実施形態の舌状片５ａは、下端縁が湾曲している。但し、舌状片５ａの形状は、特に限定されず、例えば矩形状でもよい。
【００３６】
第２ヒンジＨ２は、パッケージ本体の後壁１２ａのうち、第１ヒンジＨ１及び舌状片５ａよりも下方に形成され、後部間に亘って延伸している。第２ヒンジＨ２は、リッド２ａの回動軸の一つとして機能するとともに、リッド２ａの開閉時、第１ヒンジＨ１及び第３ヒンジＨ３を後方に逃がす。
【００３７】
切り込み７ａは、パッケージ本体の後壁１２ａとパッケージ本体の側壁１３ａとの間に形成される角部、及びリッドの後壁２２ａとリッドの側壁２３ａとの間に形成される角部に形成され、第３ヒンジＨ３から第２ヒンジＨ２まで形成されている。切り込み７ａは、リッド２ａの開閉時、第１ヒンジＨ１及び第２ヒンジＨ２とともに、第１ヒンジＨ１及び第３ヒンジＨ３を後方に逃がす。また、切り込み７ａは、リッド２ａの開度をより大きくする機能を担う。なお、第２ヒンジＨ２を設けず、切り込み７ａだけ設けてもよい。この場合、リッド２ａを開閉する際、第１ヒンジＨ１及び第３ヒンジＨ３を後方に逃がす機能は第二ヒンジＨ２を設けたときに比べ劣るが、より簡易にパッケージの組み立てを行うことができる。
【００３８】
以上のように構成されるパッケージ本体１ａは、パッケージ本体の後壁１２ａ上端縁に、第１ヒンジＨ１を介してリッド２ａが、回動（旋回）自在に接合（連結）されている。
【００３９】
＜＜リッド＞＞
リッド２ａは、パッケージ本体１ａの開口を覆う。リッド２ａは、第１ヒンジＨ１に連結されている長方形のリッドの後壁２２ａと、リッドの上壁２４ａと、一組の長方形のリッドの側壁２３ａと、リッドの前壁２０ａと、リッドの下壁２６ａとを備える箱型形状である。リッドの後壁２２ａは、リッドの前壁２０ａと対向するが、その面積は、リッドの前壁２０ａと比較すると非常に小さい。そのため、リッド２ａは、後方の殆どの領域が開放された（リッドの後壁２２ａ以外の領域が全て開放された）箱型形状である。リッドの側壁２３ａには、リッド２ａの開閉時に、リッド２ａを操作するための、半円状に切り欠かれた操作部２７ａが形成されている。リッド２ａが開状態では、パッケージ本体１ａの開口（上方、及び前方）からシガレット６の出し入れが自在となる。一方で、リッド２ａが閉状態では、リッド２ａがパッケージ本体１ａの開口を含め、パッケージ本体１ａの後壁を除く領域を包み込むように覆う。
【００４０】
リッドの上壁２４ａとリッドの後壁２２ａとの間の境界（閉状態において角部）には、第３ヒンジＨ３が形成されている。第３ヒンジＨ３は、リッドの後壁２２ａの上端縁に形成され、後部間に亘って延伸している。第３ヒンジＨ３は、リッド２ａの回動軸の一つとして機能する。
【００４１】
＜＜連結プレート＞＞
連結プレート４ａは、リッド２ａと小箱３ａとを連結し、リッド２ａの開閉に連動して小箱３ａを昇降させる。連結プレート４ａは、長方形のプレートからなり、一端がリッドの後壁２２ａ及び上壁２４ａの内面に接続され、他端が、小箱３ａのうち、後方小箱３３ａの後壁３１２ａに連なっている。また、連結プレート４ａは、上下方向の中央よりも上側に横方向に延びる直線状の折れ部４１ａが形成されている。より詳細には、折れ部４１ａは、舌状片５ａの下端縁（先端縁）と合致する位置に形成されている。連結プレート４ａの折れ部４１ａは、リッド２ａが閉状態では、平面状である。一方、連結プレート４ａの折れ部４１ａは、リッド２ａが開状態では、リッド２ａが後方に倒れるように折れ曲がる。折れ部４１ａの位置と舌状片５ａの長さを調整することで、小箱３ａが上昇する量を適宜変更することができる。なお、連結プレート４ａを可撓性部材で構成した場合、連結プレート４ａが撓むことができる。この場合、折れ部４１ａは省略することができる。また、連結プレート４ａを可撓性部材で構成した場合、舌状片５ａの長さを調整するだけで、小箱３ａが上昇する量を適宜変更することができる。
【００４２】
＜＜小箱＞＞
特に、図２Ａから図２Ｆに示すように、小箱３ａは、前方小箱３１ａ、中央小箱３２ａ、後方小箱３３ａからなり、各小箱３ａが接続部８ａを介して前後方向に相互に連なっている。各小箱３ａは、シガレット６が横方向に連なるように、シガレット６を列状に収容し、リッド２ａの開閉に連動して昇降する。
【００４３】
前方小箱３１ａは、パッケージ本体の前壁１１ａ側に位置し、７本のシガレットを列状に収容する。後方小箱３３ａは、パッケージ本体の後壁１２ａ側に位置し、前方小箱３１ａと同じく、７本のシガレットを列状に収容する。中央小箱３２ａは、前方小箱３１ａと後方小箱３３ａに挟まれ、６本のシガレットを列状に収容する。各小箱３ａは、小箱の前壁３１１ａ、小箱の後壁３１２ａ、小箱の側壁３１３ａ、小箱の下壁３１４ａを有する。小箱の前壁３１１ａ及び小箱の後壁３１２ａは、夫々横長の長方形であり、対向している。各小箱３ａでは、小箱の後壁３１２ａの高さ寸法が、小箱の前壁３１１ａよりも高く形成されている。具体的には、図２Ｂ、及び図２Ｃに示すように、第２接続部８２ａや第３接続部８３ａの高さ寸法に相当する長さ分だけ、小箱の後壁３１２ａの高さ寸法が、小箱の前壁３１１ａよりも高く形成されている。後方小箱３３ａの後壁３１２ａは、連結プレート４ａと連なっており、連結プレート４ａとの境界が明らかではないが、前方小箱３１ａや中央小箱３２ａの後壁３１２ａと同じ高さ寸法を有している。小箱の側壁３１３ａは、縦長の長方形であり、小箱の前壁３１１ａ及び小箱の後壁３１２ａの両側縁と連結されている。小箱の下壁３１４ａは、長方形であり、小箱の前壁３１１ａ、小箱の後壁３１２ａ、及び小箱の側壁３１３ａの下端縁に連結されている。なお、後方小箱３３ａの後壁３１２ａには、上方に延出する、当該後壁と一体的に形成された連結プレート４ａが連なっている。また、前方小箱３１ａの前壁３１１ａには、当該前壁と一体的に形成された第１接続部８１ａが連なっている。
【００４４】
接続部８ａは、パッケージ本体の前壁１１ａと前方小箱３１ａとを接続する第１接続部８１ａ、前方小箱３１ａと中央小箱３２ａとを接続する第２接続部８２ａ、中央小箱３２ａと後方小箱３３ａとを接続する第３接続部８３ａを含む。第１接続部８１ａは、前方小箱３１ａの前壁３１１ａの上端縁に接続された長方形のプレートであり、パッケージ本体の前壁１１ａに連なっている。第１接続部８１ａは、上下方向の中心付近に横方向に延びる折れ部８１１ａが形成されている。折れ部８１１ａが前壁１１ａの上縁よりも高い位置にあることで、前方小箱３１ａが前方に倒れることができる。この折れ部８１１ａよりも下側の接続領域８１２ａが、パッケージ本体の前壁１１ａの内面と接続される。一方、折れ部８１１ａよりも上方の非接続領域８１３ａは、上端縁が、前方小箱３１ａの前壁３１１ａの上端縁に連なっている。第２接続部８２ａは、細長い小プレートからなり、前方小箱３１ａの後壁の上端縁と中央小箱３２ａの前壁３１１ａの上端縁と連なっている。第３接続部８３ａは、第２接続部８２ａと同様に、細長い小プレートからなり、中央小箱３２ａの後壁３１２ａの上端縁と後方小箱３３ａの前壁３１１ａの上端縁と連なっている。
【００４５】
図２Ｂに示すように、接続部８ａ（第１接続部８１ａ，第２接続部８２ａ，第３接続部８３ａ）を完全に折り曲げた状態では、第１接続部８１ａは、前方小箱３１の前壁３１１ａに折り重なり、第２接続部８２ａは、前方小箱３１ａの後壁３１２ａに折り重なり、第３接続部８３ａは、中央小箱３２ａの後壁３１２ａに折り重なっている。第２接続部８２ａや第３接続部８３ａの高さ寸法に相当する長さ分だけ、小箱後壁３１２ａの高さ寸法が、小箱の前壁３１１ａよりも高く形成されている。そのため、接続部８ａを完全に折り曲げた状態では、各小箱３ａが互いに接近し、また、各小箱３ａが同じ高さ位置にある。
【００４６】
図２Ｃに示すように、第２接続部８２ａ及び第３接続部８３ａを広げた状態では、第２接続部８２ａ、及び第３接続部８３ａが略水平状態となる。その結果、各小箱３ａの間に、第２接続部８２ａや第３接続部８３ａの高さ寸法に相当する間隔が形成される。
【００４７】
図２Ｂ及び図２Ｃに加えて、図２Ｄから図２Ｅにも示すように、小箱の前壁３１１ａには、シガレット６の移動を規制するための小片９ａが一方の小箱の側壁３１３ａ側（前方からみて左側）に形成されている。この小片９ａは、小箱の前壁３１１ａの横方向の長さの半分程度の長さを有し、小箱の内側に突出している。小片９ａは、小箱の前壁３１１ａを横長のＵ字状に切り欠くことで形成されている。小片９ａには、横方向に延びる折れ部９１ａが形成されている。小片９ａは折れ部９１ａを基準に内側に湾曲しており、弾性部材として機能する。そして、小片９ａは、小箱３ａに収容されるシガレット６を押圧することで、シガレット６の移動を規制する。小箱の後壁３１２ａにも、同様の小片９ａが他方の小箱の側壁３１３ａ側（前方からみて右側）に形成されている。小箱内における小片９ａは小箱の前壁３１１ａと小箱の後壁３１２ａに分かれて、それぞれ横方向の長さの半分程度まで伸びている。これにより、小片９ａが小箱の前壁３１１ａのみ若しくは小箱の後壁３１２ａのみに小箱３ａの横方向の一端から他端まで伸びている場合に比べて、小箱３ａの強度を向上させることができる。
【００４８】
＜＜ブランク＞＞
パッケージ１００ａは、パッケージ本体１ａ及びリッド２ａを成形する第１ブランクＢ１ａと、連結プレート４ａ及び小箱３ａを成形する第２ブランクＢ２ａの各所を折り込み、接合することで成形することができる。図３Ａは、第１ブランクＢ１ａを示し、図３Ｂは、第２ブランクＢ２ａを示す。第１ブランクＢ１ａ，第２ブランクＢ２ａにはカード紙、マニラボール紙等の紙材、又はプラスチックシートなどの樹脂を用いることができるが、これらに限定されるものではない。また、ブランクの説明では、図の上下方向を基準に説明する。
【００４９】
＜＜第１ブランクＢ１ａ＞＞
図３Ａに示すように、第１ブランクＢ１ａは、パッケージ本体１ａとなる本体区域Ｒ１ａ、リッド２ａとなる蓋区域Ｒ２ａを有している。本体区域Ｒ１ａは、パッケージ本体の前壁１１ａとなる本体の前壁パネルＰ１ａを有しており、本体の前壁パネルＰ１ａの両側縁には、パッケージ本体の側壁１３ａとなる本体の側壁パネルＰ２ａ,Ｐ２ａが連なっている。
【００５０】
また、本体の前壁パネルＰ１ａの上縁には、パッケージ本体の下壁１４ａとなる本体の下壁（底板）パネルＰ３ａが連なっている。本体の前壁パネルＰ１ａと本体の下壁パネルＰ３ａとの間には、Ｒとなる複数の折り込み線からなるＲ部が形成されている。本体の下壁パネルＰ３ａには、本体の前壁パネルＰ１ａとは反対側に位置してパッケージ本体の後壁１２ａとなる本体の後壁パネルＰ４ａが連なっている。本体の後壁パネルＰ４ａの両側縁には、パッケージ本体の側壁１３ａとなる本体のインナサイドフラップＰ５ａ,Ｐ５ａが連なっている。また、本体のインナサイドフラップＰ５ａ，Ｐ５ａの下縁には、本体のインナボトムフラップＰ６ａが連なっており、これら本体のインナボトムフラップＰ６ａは本体の下壁パネルＰ３ａに重ね合わされ、パッケージ本体の下壁１４ａの補強をなす。また、本体の後壁パネルＰ４ａには、第２ヒンジＨ２となる第２ヒンジラインＬ２ａ、第１ヒンジＨ１となる第１ヒンジラインＬ１ａが形成されている。また、本体の後壁パネルＰ４ａの両側縁には、リッドの後壁パネルＰ７ａの第３ヒンジラインＬ３ａから第２ヒンジラインＬ２ａまで延び、切り込み７ａとなる直線状の切欠きＣ１ａが形成されている。更に、本体の後壁パネルＰ４ａには、舌状片５ａを形成するＵ字状の切欠きＣ２ａが形成されている。
【００５１】
蓋区域Ｒ２ａは、リッドの後壁２２ａとなるリッドの後壁パネルＰ７ａを有している。リッドの後壁パネルＰ７ａの上縁には、第３ヒンジＨ３となる第３ヒンジラインＬ３ａを介して、リッドの上壁２４ａとなるリッドの上壁パネルＰ８ａが連なっている。リッドの上壁パネルＰ８ａの両側縁には、リッドの側壁２３ａの一部となるリッドのインナサイドフラップＰ９ａ，Ｐ９ａが夫々連なっている。また、リッドの上壁パネルＰ８ａの上縁には、リッドの前壁２０ａとなるリッドの前壁パネルＰ１０ａが連なっている。更に、リッドの前壁パネルＰ１０ａの両側縁には、リッドの側壁２３ａとなるリッドの側壁パネルＰ１１ａが夫々連なっている。リッドの側壁パネルＰ１１ａは、操作部２７ａとなる円形の切欠きＣ５ａが形成されている。リッドの側壁パネルＰ１１ａは、横方向中央（円の中心）付近に上下方向に延びる折り込み線で折り返され、間にリッドのインナサイドフラップＰ９ａとリッドのインナサイドフラップＰ１３ａを挟み込み、リッドの側壁２３ａを構成する。
【００５２】
更に、リッドの前壁パネルＰ１０ａの上縁には、リッドの下壁２６ａとなるリッドの下壁パネルＰ１２ａが連なっている。リッドの前壁パネルＰ１０ａとリッドの下壁パネルＰ１２ａとの間には、Ｒとなる複数の折り込み線からなるＲ部が形成されている。リッドの下壁パネルＰ１２ａの両側縁には、リッドのインナサイドフラップＰ１３ａが夫々連なっている。また、リッドの下壁パネルＰ１２ａの上縁には、折り返されてリッドの下壁２６ａの補強をなす、リッドのインナボトムフラップＰ１４ａが連なっている。
【００５３】
＜＜第２ブランクＢ２ａ＞＞
図３Ｂに示すように、第２ブランクＢ２ａは、接続部８ａとなる接続領域Ｒ３ａ−１，Ｒ３ａ−２，Ｒ３ａ−３、小箱３ａとなる小箱領域Ｒ４ａ−１，Ｒ４ａ−２，Ｒ４ａ−３、連結プレート４ａとなる連結領域Ｒ５ａを有している。これらの領域は、接続領域Ｒ３ａ−１、小箱領域Ｒ４ａ−１、接続領域Ｒ３ａ−２、小箱領域Ｒ４ａ−２、接続領域Ｒ３ａ−３、小箱領域Ｒ４ａ−３、連結領域Ｒ５ａの順に連なっている。
【００５４】
接続領域Ｒ３ａ−１は、第１接続部８１ａとなる第１接続パネルＰ２１ａを有する。第１接続パネルＰ２１ａは、横長の長方形であり、上下方向の中心付近に横方向に延び、折れ部８１１ａとなる折り込み線が形成されている。この折り込み線よりも下方の領域が、パッケージ本体の前壁１１ａの内面と接続され、折り込み線よりも上方の領域の縁は、前方小箱３１ａの前壁３１１ａの上端縁に連なっている。
【００５５】
接続領域Ｒ３ａ−２，及びＲ３ａ−３は、第２接続部８２ａ、及び第３接続部８３ａとなる第２接続パネルＰ２２ａ，Ｐ２２ａを有する。
【００５６】
小箱領域Ｒ４ａ−１，Ｒ４ａ−２，Ｒ４ａ−３は、小箱の前壁３１１ａとなる小箱の前壁パネルＰ２５ａを有している。小箱の前壁パネルＰ２５ａには、小片９ａとなる切欠きＣ４ａが形成されている。また、小箱の前壁パネルＰ２５ａの両側縁には、小箱の側壁３１３ａとなる小箱の側壁パネルＰ２６ａ，Ｐ２６ａが連なっている。また、小箱の前壁パネルＰ２５ａの上縁には、小箱の下壁３１４ａとなる小箱の下壁パネルＰ２７ａが連なっている。また、小箱の下壁パネルＰ２７ａの上縁には、小箱の後壁３１２ａとなる小箱の後壁パネルＰ２８ａが連なっている。この小箱の後壁パネルＰ２８ａには、小片９ａとなる切欠きＣ４ａが形成されている。また、小箱の後壁パネルＰ２８ａの両側縁には、小箱の側壁３１３ａを補強する小箱のインナサイドフラップＰ２９ａ，Ｐ２９ａが連なっている。また、小箱のインナサイドフラップＰ２９ａ，Ｐ２９ａの下縁には、小箱のインナボトムフラップＰ３０ａが連なっており、これら小箱のインナボトムフラップＰ３０ａは小箱の下壁パネルＰ２７ａに重ね合わされ、小箱の下壁３１４ａの補強をなす。
【００５７】
連結領域Ｒ５ａは、連結プレート４ａとなる連結パネルＰ３１ａを有している。連結パネルＰ３１ａには、直線状の折れ部４１ａとなるラインＬ４ａが形成されている。
【００５８】
上述した第１ブランクＢ１ａは、図３Ａ中破線で示した折り込み線で夫々折り込まれる。その結果、図１Ａから図１Ｄ、及び図２に示すようなパッケージ本体１ａとリッド２ａを含むパッケージ１００ａが成形される。第１ブランクＢ１ａの本体区域Ｒ１ａにおいては、各折り込み線で折り込まれ、本体のインナボトムフラップＰ６ａが本体の下壁パネルＰ３ａに重ねられ、本体のインナサイドフラップＰ５ａが本体の側壁パネルＰ２ａに接着されることで、パッケージ本体１ａが成形される。
【００５９】
一方、第１ブランクＢ１ａの蓋区域Ｒ２ａにおいては、各折り込み線で折り込まれ、リッドのインナサイドフラップＰ９ａ、及びリッドのインナサイドフラップＰ１３ａがリッドの側壁パネルＰ１１ａに挟み込まれて接着され、リッドのインナボトムフラップＰ１４ａがリッドの下壁パネルＰ１２ａに重ねられることで、リッド２ａが成形される。
【００６０】
上述した第２ブランクＢ２ａは、図３Ｂ中破線で示した折り込み線で夫々折り込まれる。その結果、図２Ａから図２Ｆに示すような小箱３ａ、接続部８ａ、連結プレート４ａが成形される。第２ブランクＢ２ａの接続領域Ｒ３ａ−１，Ｒ３ａ−２，Ｒ３ａ−３においては、各折り込み線で折り込まれることで接続部８ａ（第１接続部８１ａ，第２接続部８２ａ，第３接続部８３ａ）が成形される。第２ブランクＢ２ａの小箱領域Ｒ４ａ−１，Ｒ４ａ−２，Ｒ４ａ−３では、小箱のインナボトムフラップＰ３０ａが小箱の下壁パネルＰ２７ａに重ねられ、小箱のインナサイドフラップＰ２９ａが小箱の側壁パネルＰ２６ａに接着されることで、小箱３ａが成形される。
【００６１】
例えば、図２Ａに示すように、連結プレート４ａの上部がリッド２ａに接着され、第１接続部８１ａの前方接続部８１１ａがパッケージ本体の前壁パネル１１ａに接続されることで、パッケージ１００ａが成形される。
【００６２】
＜＜開閉動作＞＞
次に、パッケージ１００ａにおけるリッド２ａの開閉動作について説明する。以下に説明する動作は、リッド２ａの開閉に連動して行われる。図４から図７は、異なる方向から見たパッケージ１００ａの開閉状態を示す。また、図８Ａ、図８Ｂは、第１実施形態に係るパッケージの動作説明図を示す。
【００６３】
リッド２ａが閉状態では、リッド２ａがパッケージ本体１ａの後方以外の面を覆っている。パッケージ１００ａに収容されているシガレット６を取り出す必要が無い場合は、通常、パッケージ１００ａは、閉状態である。閉状態では、リッドの下壁２６ａとパッケージ本体１ａの下壁が面で接しており、リッド２ａの開閉が規制されている。
【００６４】
パッケージ１００ａに収容されているシガレット６を取り出す場合、リッド２ａが開状態とされる。具体的には、リッドの下壁２６ａとパッケージ本体の下壁１４ａとの面接触状態が解除され、リッド２ａが回動し始める（図４（ｂ）、図５（ｂ）、図６（ｂ）、図７（ｂ）、図８Ａ（ｂ））。パッケージ１００ａは、第１ヒンジＨ１、第２ヒンジＨ２、及び第３ヒンジＨ３を備えており、リッド２ａは、第１ヒンジＨ１、第２ヒンジＨ２、及び第３ヒンジＨ３を軸に回動する。例えば、図８Ａ（ｂ）に示すように、回動序盤では、リッド２ａは、主に第３ヒンジＨ３を軸に回動し始める。また、リッド２ａに連動して舌状片５ａが第１ヒンジＨ１を軸として回動し始める。その際、舌状片５ａは、連結プレート４ａを前方に押しながら、連結プレート４ａを上昇させる。また、リッド２ａを開状態とする際、後方に力が働くことから、リッド２ａの回動に連動して第３ヒンジＨ３が後方に徐々に移動する。
【００６５】
図４（ｃ）、図５（ｃ）、図６（ｃ）、図７（ｃ）、図８Ｂ（ｃ）（特に図８Ｂ（ｃ））に示すように、回動中盤では、リッド２ａの回動に連動して、連結プレート４ａが徐々に引き上げられ、上昇する。また、リッド２ａに連動して舌状片５ａが第１ヒンジＨ１を軸として更に回動する。その際、舌状片５ａは、連結プレート４ａを前方に押しながら、連結プレート４ａを更に上昇させる。舌状片５ａが連結プレート４ａを前方に押す力の反力により、第１ヒンジＨ１が後方に移動する。また、第３ヒンジＨ３が更に後方に移動する。また、連結プレート４ａは、リッド２ａに引き上げられるとともに、舌状片５ａによって押し上げられる。その結果、連結プレート４ａがリッド２ａに連動して更に上昇する。その結果、後方小箱３３ａ，中央小箱３２ａ，前方小箱３１ａが上昇する。連結プレート４ａが上昇すると、後方小箱３３ａが上昇し、後方小箱３３ａと中央小箱３２ａとを接続する第３接続部８３ａが水平状態若しくはこれに近い状態となる。また、後方小箱３３ａが上昇すると、次に中央小箱３２ａも上昇し、中央小箱３２ａが上昇すると、中央小箱３２ａと前方小箱３１ａとを接続する第２接続部８２ａが水平状態若しくはこれに近い状態となる。各小箱３ａは、横方向及び前後方向の移動が完全に規制されていると、小箱３ａ同士の間隔が広がることはできない。但し、パッケージ１００ａでは、パッケージ本体の前壁１１ａが、パッケージ本体の後壁１２ａに比べて高さ寸法が短く形成されている。具体的には、パッケージ本体の前壁１１ａの高さ寸法は、小箱３ａの高さ寸法の半分程度に設計されている。そのため、小箱３ａの下部では前後方向の移動が規制されるが、上部では前後方向の移動が許容される。第２接続部８２ａや第３接続部８３ａの高さ位置には、パッケージ本体の前壁１１ａが存在せず、小箱３ａの前後方向への移動が許容される。その結果、第２接続部８２ａや第３接続部８３ａは、水平状態又はこれに近い状態となる。一方、小箱３ａの下部では、上記のように前後方向への移動が規制されているため、小箱３ａ同士の間隔は、下方が狭く、上方に向かって徐々に広がるようになる。
【００６６】
図４（ｄ）、図５（ｄ）、図６（ｄ）、図７（ｄ）、図８Ｂ（ｄ）（特に図８Ｂ（ｄ））に示すように、回動終盤では、リッド２ａは、第２ヒンジＨ２よりも、第１ヒンジＨ１を軸に回動する。リッド２ａの回動に連動して、連結プレート４ａが更に上昇する。また、リッド２ａに連動して舌状片５ａが第１ヒンジＨ１を軸として更に回動する。その際、舌状片５ａは、連結プレート４ａを前方に押しながら、連結プレート４ａを上昇させる。舌状片５ａが水平を越えると、連結プレート４ａを前方に押す力の反力は徐々に弱まり、リッド２ａを開くために加えられる下向きの力が第１ヒンジＨ１を支点として連結プレート４ａを上昇させる力に変換される。また、連結プレート４ａは、リッド２ａに引き上げられるとともに、舌状片５ａによって更に押し上げられる。その結果、後方小箱３３ａ、中央小箱３２ａ、前方小箱３１ａが更に上昇する。また、後方小箱３３ａが最も高く上昇し、次に、中央小箱３２ａが高く上昇し、次に、前方小箱３１ａが上昇する。また、後方小箱３３ａ、中央小箱３２ａ、前方小箱３１ａが更に上昇することで、小箱３ａの上部における前後方向の移動を規制する力が更に弱まり、小箱３ａ同士の間隔が更に広がる。一方で、小箱３ａの下部では、上記のように前後方向への移動が規制されている。その結果、小箱３ａ同士の間隔は、下方は狭いままで、上方に向かって徐々に更に広がるようになる。その結果、小箱３ａに収容されたシガレット６は、側面視扇状に広がる。
【００６７】
＜＜効果＞＞
第１実施形態に係るパッケージ１００ａは、シガレット６を収容する小箱３ａがリッド２ａの開閉に連動して昇降する。そのため、リッド２ａを開閉するだけで、換言すると、昇降するための動作を別途行うことなく、シガレット６が昇降するので、シガレット６をパッケージ１００ａから容易に取り出すことができる。また、実施形態に係るパッケージ１００ａは、舌状片５ａを備えることで、蓋部の開閉に連動してリフトアップする従来のパッケージと比較して、強度も向上し、安定的に小箱３ａを昇降することができる。また、舌状片５ａの長さ及び連結プレートの折れ部４１ａの位置を調整することで、昇降の移動範囲を調整することができ、例えば従来のパッケージよりも昇降の移動範囲を大きくすることができる。また、パッケージ１００ａは、小箱３ａが昇降するだけでなく、小箱３ａ同士を接続する接続部８ａによって、小箱３ａ同士の間に間隔を形成することができる。その結果、シガレット６は、上昇するだけでなく、前後方向において互いに間隔が形成される。そのため、シガレット６がより掴み易く、パッケージ１００ａから取り出しやすくなっている。更に、パッケージ１００ａでは、小箱３ａが列毎で区分けされ、更に、小箱３ａには小片９ａが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。また、小箱３ａの上縁同士を接続することで、小箱の前後方向の広がりを規制することができる。その結果、小箱３ａを側面視扇状に広げた際の美観をより向上することができる。
【００６８】
＜第２実施形態＞
第２実施形態に係るパッケージ１００ｂは、切り込み７ｂの位置が第１実施形態の切り込み７ａと異なる点、第１実施形態の第３ヒンジＨ３に相当するヒンジを備えない点で、第１実施形態に係るパッケージ１００ａと構成が異なる。なお、既に説明した実施形態と同様の構成については、同一符号を付し、説明は割愛する。また、符号の数字に続くアルファベットは、実施形態を区別するために付したものであり、符号の数字が同じ構成同士は、互いに対応する構成である。後述する他の実施形態についても同様である。
【００６９】
図９Ａから図９Ｄは、第２実施形態に係るパッケージの透視斜視図を示す。パッケージ本体１ｂは、第１実施形態のパッケージ本体１ａと基本的に同じ構成であり、パッケージ本体の前壁１１ｂ、パッケージ本体の後壁１２ｂ、パッケージ本体の側壁１３ｂ、パッケージ本体の下壁１４ｂを備える。パッケージ本体の後壁１２ｂには、第１ヒンジＨ１、舌状片５ｂ、第２ヒンジＨ２、切り込み７ｂが形成されている。
【００７０】
切り込み７ｂは、パッケージ本体の後壁１２ａとパッケージ本体の側壁１３ａとの間に形成される角部にのみ形成されている。つまり、切り込み７ｂは、第１ヒンジＨ１から第２ヒンジＨ２まで形成されている。切り込み７ｂは、リッド２ｂの開閉時、第１ヒンジＨ１及び第２ヒンジＨ２とともに、第１ヒンジＨ１を後方に逃がす。また、切り込み７ｂは、リッド２ｂの開度をより大きくする機能を担う。
【００７１】
リッド２ｂは、第１実施形態に係るパッケージ１００ａのリッド２ａに近い構成である。但し、リッドの側壁２３ｂとリッドの後壁２２ｂとの間の境界は、角部となっており、第一実施形態に係るリッド２ａの切り込み７ａに相当する切り込みは形成されていない。また、リッドの上壁２４ｂとリッド２ｂの後壁２２ｂとの間の境界は、角部であり、第一実施形態に係るリッド２ａの第３ヒンジＨ３に相当するヒンジは形成されていない。
【００７２】
連結プレート４ｂ、及び小箱３ｂは、第１実施形態に係るパッケージ１００ａの連結プレート４ａ、及び小箱３ａと同様の構成である。また、ブランクについては、第１ブランクＢ１ａにおける切欠きＣ１ａの長さが短くなるが、それ以外の構成は、リッドの後壁２２ｂとリッドの側壁２３ｂとを接続するインナフラップがある以外は第１実施形態と同様である。
【００７３】
図１０に示すように、パッケージ１００ｂにおいても、小箱３ｂは、リッド２ｂの開閉に連動して昇降する。図１０（ａ）に示すように、リッド２ｂが閉状態では、リッド２ｂがパッケージ本体１ｂの後方以外の面を覆っている。図１０（ｂ）に示すように、回動序盤では、リッド２ｂは、第３ヒンジＨ３に相当するヒンジを備えないため、主に第１ヒンジＨ１を軸に回動し始める。リッド２ｂの開閉に連動して舌状片５ｂが第１ヒンジＨ１を軸として回動し始める。その際、舌状片５ｂは、連結プレート４ｂを前方に押しながら、連結プレート４ｂを上昇させる。
【００７４】
図１０（ｃ））に示すように、回動中盤では、リッド２ａの回動に連動して、連結プレート４ａが徐々に引き上げられ、上昇し始める。また、リッド２ｂに連動して舌状片５ｂが第１ヒンジＨ１を軸として更に回動する。その際、舌状片５ｂは、連結プレート４ｂを前方に押しながら、連結プレート４ｂを更に上昇させる。そして、第１実施形態に係るパッケージ１００ａと同様の原理により、小箱３ｂ同士の間隔は、下方が狭く、上方に向かって徐々に広がるようになる。
【００７５】
図１０（ｄ））に示すように、回動終盤では、リッド２ｂの回動に連動して、連結プレート４ｂが更に引き上げられ、上昇する。また、リッド２ｂに連動して舌状片５ｂが第１ヒンジＨ１を軸として更に回動する。その際、舌状片５ｂは、連結プレート４ｂを前方に押しながら、連結プレート４ｂを更に上昇させる。そして、第１実施形態に係るパッケージ１００ａと同様の原理により、小箱３ｂ同士の間隔は、下方は狭いままで、上方に向かって徐々に更に広がるようになる。その結果、小箱３ｂに収容されたシガレット６は、側面視扇状に広がる。
【００７６】
＜＜効果＞＞
第２実施形態に係るパッケージ１００ｂにおいても、シガレット６を収容する小箱３ｂがリッド２ａの開閉に連動して昇降する。そのため、リッド２ｂを開閉するだけで、換言すると、昇降するための動作を別途行うことなく、シガレット６が昇降するので、シガレット６をパッケージ１００ｂから容易に取り出すことができる。また、実施形態に係るパッケージ１００ｂは、舌状片５ｂを備えることで、パッケージ１００ａと同様に、強度も向上し、安定的に小箱３ｂを昇降することができる。また、舌状片５ｂの長さ及び連結プレートの折れ部４１ｂの位置を調整することで、昇降の移動範囲を調整することができ、例えば従来のパッケージよりも昇降の移動範囲を大きくすることができる。また、パッケージ１００ｂは、パッケージ１００ａと同様に、小箱３ｂが昇降するだけでなく、小箱３ｂ同士を接続する接続部８ｂによって、小箱３ｂ同士の間に間隔を形成することができる。その結果、シガレット６は、上昇するだけでなく、前後方向において互いに間隔が形成される。そのため、シガレット６がより掴み易く、パッケージ１００ｂから取り出しやすくなっている。更に、パッケージ１００ｂでは、小箱３ｂが列毎で区分けされ、更に、小箱３ｂには小片９ｂが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。更に、パッケージ１００ｂは、パッケージ１００ａにおける第３ヒンジＨ３に相当するヒンジを備えず、切り込み７ｂがパッケージ本体１ｂ側にのみ設けられており、より強度が向上されている。また、パッケージ１００ｂは、リッド２ｂの開閉の自由度に関してはパッケージ１００ａの方が優れているものの、リッド２ｂの蓋締まりが向上している。
【００７７】
＜第３実施形態＞
第３実施形態に係るパッケージ１００ｃは、小箱３ｃの構成が、第１実施形態のパッケージ１００ａや第２実施形態のパッケージ１００ｂと異なる。図１１は、第３実施形態に係るパッケージの小箱の拡大斜視図であり、接続部を広げた状態を示す。
【００７８】
図１１に示すように、第３実施形態の小箱３ｃは、第１実施形態の小箱３ａと同様に、前方小箱３１ｃ、中央小箱３２ｃ、後方小箱３３ｃからなり、各小箱３ｃが接続部８ｃを介して前後方向に相互に連なっている。但し、第１実施形態の小箱３ａは、高さ寸法が全て同じであったが、第３実施形態の小箱３ａは、高さ寸法が異なっている。例えば、小箱の前壁３１１ｃを基準にすると、前方小箱３１ｃの高さ寸法が最も低く、後方小箱３３ｃの高さ寸法が最も高く、中央小箱３２ｃの高さ寸法は、前方小箱３１ｃの高さ寸法と後方小箱３３ｃの高さ寸法の間の高さである。
【００７９】
前方小箱３１ｃは、パッケージ本体の前壁１１ｃ側に位置し、７本のシガレットを列状に収容する。後方小箱３３ｃは、パッケージ本体の後壁１２ｃ側に位置し、前方小箱３１ｃと同じく、７本のシガレットを列状に収容する。中央小箱３２ｃは、前方小箱３１ｃと後方小箱３３ｃに挟まれ、６本のシガレットを列状に収容する。各小箱３ｃは、小箱の前壁３１１ｃ、小箱の後壁３１２ｃ、小箱の側壁３１３ｃ、小箱の下壁３１４ｃを有する。
【００８０】
前方小箱３１ｃの前壁３１１ｃ及び後壁３１２ｃは、夫々横長の長方形であり、対向している。前方小箱３１ｃの後壁３１２ｃの高さ寸法は、前方小箱３１ｃの前壁３１１ｃよりも高く形成されている。また、前方小箱３１ｃの後壁３１２ｃの高さ寸法は、中央小箱３２ｃの前壁３１１ｃの高さ寸法に第２接続部８２ｃの短手方向の寸法を加えた長さと同じに設計されている。前方小箱３１ｃの側壁３１３ｃは、縦長の長方形であり、前方小箱３１ｃの前壁３１１ｃ及び後壁３１２ｃの両側縁と連結されている。前方小箱３１ｃの側壁３１３ｃの高さ寸法は、前方小箱３１ｃの前壁３１１ｃの高さ寸法よりも高く、かつ、前方小箱３１ｃの後壁３１２ｃよりも低く設計されている。前方小箱３１ｃの下壁３１４ｃは、長方形であり、前方小箱３１ｃの前壁３１１ｃ、後壁３１２ｃ、及び側壁３１３ｃの下端縁に連結されている。前方小箱３１ｃの前壁３１１ｃには、当該前壁と一体的に形成された第１接続部８１ｃが連なっている。
【００８１】
中央小箱３２ｃの前壁３１１ｃ及び後壁３１２ｃは、夫々横長の長方形であり、対向している。中央小箱３２ｃの後壁３１２ｃの高さ寸法は、中央小箱３２ｃの前壁３１１ｃよりも高く形成されている。また、中央小箱３２ｃの後壁３１２ｃの高さ寸法は、後方小箱３３ｃの前壁３１１ｃの高さ寸法に第３接続部８３ｃの短手方向の寸法を加えた長さと同じに設計されている。中央小箱３２ｃの側壁３１３ｃは、縦長の長方形であり、中央小箱３２ｃの前壁３１１ｃ及び後壁３１２ｃの両側縁と連結されている。中央小箱３２ｃの側壁３１３ｃの高さ寸法は、中央小箱３２ｃの前壁３１１ｃの高さ寸法よりも高く、かつ、中央小箱３２ｃの後壁３１２ｃよりも低く設計されている。中央小箱３２ｃの下壁３１４ｃは、長方形であり、中央小箱３２ｃの前壁３１１ｃ、後壁３１２ｃ、及び側壁３１３ｃの下端縁に連結されている。中央小箱３２ｃの前壁３１１ｃの上端縁には、第２接続部８２ｃが連なっている。第２接続部８２ｃには、前方小箱３１ｃの後壁３１２ｃの上端縁が連なっている。また、中央小箱３２ｃの後壁３１２ｃの上端縁には、第３接続部８３ｃが連なっている。
【００８２】
後方小箱３３ｃの前壁３１１ｃ及び後壁３１２ｃは、夫々横長の長方形であり、対向している。後方小箱３３ｃの後壁３１２ｃの高さ寸法は、後方小箱３３ｃの前壁３１１ｃの高さ寸法とほぼ同じである。後方小箱３３ｃの後壁３１２ｃは、連結プレート４ｃと連なっており、連結プレート４ｃとの境界が明らかではないが、中央小箱３２ｃの後壁３１２ｃとほぼ同じ高さ寸法を有している。後方小箱３３ｃの側壁３１３ｃは、縦長の長方形であり、後方小箱３３ｃの前壁３１１ｃ及び後壁３１２ｃの両側縁と連結されている。後方小箱３３ｃの側壁３１３ｃの高さ寸法は、後方小箱３３ｃの前壁３１１ｃの高さ寸法、及び後方小箱３３ｃの後壁３１２の高さ寸法とほぼ同じである。後方小箱３３ｃの下壁３１４ｃは、長方形であり、後方小箱３３ｃの前壁３１１ｃ、後壁３１２ｃ、及び側壁３１３ｃの下端縁に連結されている。
【００８３】
接続部８ｃは、パッケージ本体の前壁１１ｃと前方小箱３１ｃとを接続する第１接続部８１ｃ、前方小箱３１ｃと中央小箱３２ｃとを接続する第２接続部８２ｃ、中央小箱３２ｃと後方小箱３３ｃとを接続する第３接続部８３ｃを含む。第１接続部８１ｃは、前方小箱３１ｃの前壁３１１ｃの上端縁に接続された長方形のプレートであり、パッケージ本体の前壁１１ｃに連なっている。第１接続部８１ｃは、上下方向の中心付近に横方向に延びる折れ部８１１ｃが形成されている。折れ部８１１ｃが前壁１１ｃの上縁よりも高い位置にあることで、前方小箱３１ｃが前方に倒れることができる。この折れ部８１１ｃよりも下側の接続領域８１２ｃが、パッケージ本体の前壁１１ｃの内面と接続される。一方、折れ部８１１ｃよりも上方の非接続領域８１３ｃは、上端縁が、前方小箱３１ｃの前壁３１１ｃの上端縁に連なっている。第２接続部８２ｃは、細長い小プレートからなり、前方小箱３１ｃの後壁の上端縁と中央小箱３２ｃの前壁３１１ｃの上端縁と連なっている。第３接続部８３ｃも、細長い小プレートからなり、中央小箱３２ｃの後壁３１２ｃの上端縁と後方小箱３３ｃの前壁３１１ｃの上端縁と連なっている。また、各小箱３ｃの前壁３１１ｃ及び後壁３１２ｃには、パッケージ１００ａと同様に、シガレット６の移動を規制するための小片９ｃが形成されている。
【００８４】
ブランクについては、パッケージ１００ａと異なる、連結プレート４ｃ及び小箱３ｃを成形する第２ブランクＢ２ｃについてのみ説明し、パッケージ本体１ｃ及びリッド２ｃを成形する第１ブランクＢ１Ｃ（図示せず）の説明は割愛する。
【００８５】
図１２に示すように、第２ブランクＢ２ｃは、接続部８ｃとなる接続領域Ｒ３ｃ−１，Ｒ３ｃ−２，Ｒ３ｃ−３、小箱３ｃとなる小箱領域Ｒ４ｃ−１，Ｒ４ｃ−２，Ｒ４ｃ−３、連結プレート４ｃとなる連結領域Ｒ５ｃを有している。これらの領域は、接続領域Ｒ３ｃ−１、小箱領域Ｒ４ｃ−１、接続領域Ｒ３ｃ−２、小箱領域Ｒ４ｃ−２、接続領域Ｒ３ｃ−３、小箱領域Ｒ４ｃ−３、連結領域Ｒ５ｃの順に連なっている。
【００８６】
接続領域Ｒ３ｃ−１は、第１接続部８１ｃとなる第１接続パネルＰ２１ｃを有する。第１接続パネルＰ２１ｃは、横長の長方形であり、上下方向の中心付近に横方向に延び、折れ部８１１ｃとなる折り込み線が形成されている。この折り込み線よりも下方の領域が、パッケージ本体の前壁１１ｃの内面と接続され、折り込み線よりも上方の領域の縁は、前方小箱３１ａの前壁３１１ａの上端縁に接続される。
【００８７】
接続領域Ｒ３ｃ−２，Ｒ３ｃ−３は、第２接続部８２ｃとなる第２接続パネルＰ２２ｃ，Ｐ２２ｃを有する。
【００８８】
小箱領域Ｒ４ｃ−１，Ｒ４ｃ−２，Ｒ４ｃ−３は、小箱の前壁３１１ｃとなる小箱の前壁パネルＰ２５ｃを有している。小箱の前壁パネルＰ２５ｃには、小片９ｃとなる切欠きＣ４ｃが形成されている。また、小箱の前壁パネルＰ２５ｃの両側縁には、小箱の側壁３１３ｃとなる小箱の側壁パネルＰ２６ｃ，Ｐ２６ｃが連なっている。また、小箱の前壁パネルＰ２５ｃの上縁には、小箱の下壁３１４ｃとなる小箱の下壁パネルＰ２７ｃが連なっている。また、小箱の下壁パネルＰ２７ｃの上縁には、小箱の後壁３１２ｃとなる小箱の後壁パネルＰ２８ｃが連なっている。この小箱の後壁パネルＰ２８ｃには、小片９ｃとなる切欠きＣ４ｃが形成されている。また、小箱の後壁パネルＰ２８ｃの両側縁には、小箱の側壁３１３ｃを補強する小箱のインナサイドフラップＰ２９ｃ，Ｐ２９ｃが連なっている。また、小箱のインナサイドフラップＰ２９ｃ，Ｐ２９ｃの下縁には、小箱のインナボトムフラップＰ３０ｃが連なっており、これら小箱のインナボトムフラップＰ３０ｃは小箱の下壁パネルＰ２７ｃに重ね合わされ、小箱の下壁３１４ｃの補強をなす。
【００８９】
連結領域Ｒ５ｃは、連結プレート４ｃとなる連結パネルＰ３１ｃを有している。連結パネルＰ３１ｃには、直線状の折れ部４１ｃとなるラインＬ４ｃが形成されている。
【００９０】
上述した第２ブランクＢ２ｃは、図１２中破線で示した折り込み線で夫々折り込まれる。その結果、図１１に示すような小箱３ｃ、接続部８ｃ、連結プレート４ｃが成形される。具体的には、第２ブランクＢ２ｃの接続領域Ｒ３ｃ−１，Ｒ３ｃ−２，Ｒ３ｃ−３においては、各折り込み線で折り込まれることで接続部８ｃ（第１接続部８１ｃ，第２接続部８２ｃ，第３接続部８３ｃ）が成形される。第２ブランクＢ２ｃの小箱領域Ｒ４ｃ−１，Ｒ４ｃ−２，Ｒ４ｃ−３では、小箱のインナボトムフラップＰ３０ｃが小箱の下壁パネルＰ２７ｃに重ねられ、小箱のインナサイドフラップＰ２９ｃが小箱の側壁パネルＰ２６ｃに接着されることで、小箱３ｃが成形される。
【００９１】
図１３Ａから図１３Ｄに示すように、パッケージ１００ｃにおいても、小箱３ｃは、リッド２ｃの開閉に連動して昇降する。図１３Ａ、及び図１３Ｃに示すように、リッド２ｃが閉状態では、リッド２ｃがパッケージ本体１ｃの後方以外の面を覆っている。
【００９２】
図１３Ｂ、及び図１３Ｄに示すように、リッド２ｃが回動すると、リッド２ｃの開閉に連動して舌状片５ｃが第１ヒンジＨ１を軸として回動し始める。その際、舌状片５ｃは、連結プレート４ｃを前方に押しながら、連結プレート４ｃを上昇させる。これに伴い、小箱３ｃも上昇する。そして、第１実施形態に係るパッケージ１００ａと同様の原理により、小箱３ｃ同士の間隔は、下方が狭く、上方に向かって徐々に広がるようになる。その結果、小箱３ｃに収容されたシガレット６は、側面視扇状に広がる。
【００９３】
＜＜効果＞＞
第３実施形態に係るパッケージ１００ｃにおいても、シガレット６を収容する小箱３ｃがリッド２ｃの開閉に連動して昇降する。そのため、リッド２ｃを開閉するだけで、換言すると、昇降するための動作を別途行うことなく、シガレット６が昇降するので、シガレット６をパッケージ１００ｃから容易に取り出すことができる。また、実施形態に係るパッケージ１００ｃは、舌状片５ｃを備えることで、パッケージ１００ａと同様に、強度も向上し、安定的に小箱３ｃを昇降することができる。また、舌状片５ｃの長さと連結プレートの折れ部４１ｃの位置を調整することで、昇降の移動範囲を調整することができ、例えば従来のパッケージよりも昇降の移動範囲を大きくすることができる。また、パッケージ１００ｃは、パッケージ１００ａと同様に、小箱３ｃが昇降するだけでなく、小箱３ｃ同士を接続する接続部８ｃによって、小箱３ｃ同士の間に間隔を形成することができる。その結果、シガレット６は、上昇するだけでなく、前後方向において互いに間隔が形成される。そのため、シガレット６がより掴み易く、パッケージ１００ｃから取り出しやすくなっている。更に、パッケージ１００ｃでは、小箱３ｃが列毎で区分けされ、更に、小箱３ｃには小片９ｃが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。更に、パッケージ１００ｃは、小箱３ｃがパッケージ１００ａの小箱３ａよりも高さ寸法が高く形成されている。そのため、より安定してシガレット６を収容することができる。そのため、リッド２ｃの回動に連動してシガレット６が昇降する場合でも、シガレット６が小箱３ｃから落下することを抑制することができる。
【００９４】
＜第４実施形態＞
第４実施形態に係るパッケージ１００ｄは、小箱３ｄの構成が、第１実施形態のパッケージ１００ａ、第２実施形態のパッケージ１００ｂ、及び第３実施形態のパッケージ１００ｃと異なる。図１４は、第４実施形態に係るパッケージの小箱の拡大斜視図であり、接続部を広げた状態を示す。
【００９５】
図１４に示すように、第４実施形態の小箱３ｄは、第１実施形態の小箱３ａと同様に、前方小箱３１ｄ、中央小箱３２ｄ、後方小箱３３ｄからなり、各小箱３ｄが接続部８ｄを介して前後方向に相互に連なっている。但し、第４実施形態の小箱３ｄは、接続部８ｄの構成が異なる。
【００９６】
前方小箱３１ｄは、パッケージ本体の前壁１１ｄ側に位置し、７本のシガレットを列状に収容する。後方小箱３３ｄは、パッケージ本体の後壁１２ｄ側に位置し、前方小箱３１ｄと同じく、７本のシガレットを列状に収容する。中央小箱３２ｄは、前方小箱３１ｄと後方小箱３３ｄに挟まれ、６本のシガレットを列状に収容する。各小箱３ｄは、小箱の前壁３１１ｄ、小箱の後壁３１２ｄ、小箱の側壁３１３ｄ、小箱の下壁３１４ｄを有する。小箱の前壁３１１ｄ及び小箱の後壁３１２ｄは、夫々横長の長方形であり、ほぼ同じ面積であり、対向している。小箱の側壁３１３ｄは、小箱の前壁３１１ｄ及び小箱の後壁３１２ｄの両側縁と連結され、縦長の長方形である。小箱の下壁３１４ｄは、長方形であり、小箱の前壁３１１ｄ及び小箱の後壁３１２ｄの下端縁に連結されている。なお、後方小箱３３ｄの後壁３１２ｄには、上方に延出する、当該後壁３１２ｄと一体的に形成された連結プレート４ｄが連なっている。
【００９７】
接続部８ｄは、パッケージ本体の前壁１１ｄと前方小箱３１ｄとを接続する第１接続部８１ｄ、前方小箱３１ｄと中央小箱３２ｄとを接続する第２接続部８２ｄ、中央小箱３２ｄと後方小箱３３ｄとを接続する第３接続部８３ｄを含む。第１接続部８１ｄを例に説明すると、第１接続部８１ｄは、パッケージ本体の前壁１１ｄの内面に接続され、パッケージ本体の前壁１１ｄと平行なプレート状の前方接続部８１１ｄと、上端縁が前方小箱３１ｄの前壁３１１ｄの上端縁に接続され、下端縁が前方接続部８１１ｄの下端縁と接続され、前方小箱３１ｄの前壁３１１ｄと平行な後方接続部８１２ｄとを備える。後方接続部８１２ｄの下部は、折畳自在な折畳部８１３ｄによって形成されている。そのため、後方接続部８１２ｄは、折畳部８１３ｄの状態により、上下方向の長さが変化する。折畳部８１３ｄは、第１山折部８１４ｄ、第１小プレート８１５ｄ、第２山折部８１６ｄ、第２小プレート８１７ｄ、谷折部８１８ｄを含み、各折部で折れ曲がることで、上下方向の長さが変化する。前方接続部８１１ｄは、パッケージ本体の前壁１１ｄの内面に接続される糊代であり、糊代として機能するために必要な上下方向の長さを有している。後方接続部８１２ｄの上下方向の長さは前方接続部８１１ｄの上下方向の長さよりも長い。後方接続部８１２ｄは、折畳部８１３ｄが縮んだ状態よりも伸びた状態において、上下方向の長さが長くなる。したがって、第１接続部８１ｄの後方接続部８１２ｄに接続される前方小箱３１ｄも上下方向に移動すること、換言すると昇降することが可能となる。第２接続部８２ｄ、及び第３接続部８３ｄは、構成が同じである。第３接続部８３ｄを例に説明すると、前方接続部８３１ｄの上端縁が、中央小箱３２ｄの後壁３１２ｄの上端縁に接続される点で第１接続部８１ｄと異なるが、それ以外の構成は同じである。折畳部８１３ｄが折り畳まれた状態では、後方接続部８３２ｄの上下方向の長さは前方接続部８３１ｄの上下方向の長さと同じである。 一方、折畳部８３３ｄが伸びた状態では、後方接続部８３２ｄの上下方向の長さは前方接続部８３１ｄの上下方向の長さよりも長くなる。したがって、第３接続部８３ｄの後方接続部８３２ｄに接続される後方小箱３３ｄも上下方向に移動すること、換言すると昇降することが可能となる。また、各小箱３ｄの前壁３１１ｄ及び後壁３１２ｄには、パッケージ１００ａと同様に、シガレット６の移動を規制するための小片９ｄが形成されている。
【００９８】
ブランクについては、パッケージ１００ａと異なる、連結プレート４ｄ及び小箱３ｄを成形する第２ブランクＢ２ｄについてのみ説明し、パッケージ本体１ｄ及びリッド２ｄを成形する第１ブランクの説明は割愛する。
【００９９】
図１５に示すように、第２ブランクＢ２ｄは、接続部８ｄとなる接続領域Ｒ３ｄ−１，Ｒ３ｄ−２，Ｒ３ｄ−３、小箱３ｄとなる小箱領域Ｒ４ｄ−１，Ｒ４ｄ−２，Ｒ４ｄ−３、連結プレート４ｄとなる連結領域Ｒ５ｄを有している。これらの領域は、接続領域Ｒ３ｄ−１、小箱領域Ｒ４ｄ−１、接続領域Ｒ３ｄ−２、小箱領域Ｒ４ｄ−２、接続領域Ｒ３ｄ−３、小箱領域Ｒ４ｄ−３、連結領域Ｒ５ｄの順に連なっている。
【０１００】
接続領域Ｒ３ｄ−１，Ｒ３ｄ−２，Ｒ３ｄ−３は、前方接続部８１１ｄとなる前方接続パネルＰ２１ｄ、第１小プレート８１５ｄとなる第１小パネルＰ２２ｄ、第２小プレート８１７ｄとなる第２小プレートＰ２３ｄ、後方接続部８１２ｄとなる後方接続パネルＰ２４ｄを有する。前方接続パネルＰ２１ｄの上縁に第１小パネルＰ２２ｄが連なり、第１小パネルＰ２２ｄの上縁に第２小パネルＰ２３ｄが連なり、第２小パネルＰ２３ｄの上縁に後方接続パネルＰ２４ｄが連なっている。上記のように構成される接続領域Ｒ３ｄ−１には、小箱領域Ｒ４ｄ−１が連なっている。第１接続部８１ｄの前方接続部８１１ｄとなる前方接続パネルＰ２１ｄは、第２接続部８２ｄ及び第３接続部８３ｄの前方接続部８１１ｄとなる前方接続パネルＰ２１ｄよりも上下方向の長さが短く形成されている。
【０１０１】
小箱領域Ｒ４ｄ−１，Ｒ４ｄ−２，Ｒ４ｄ−３は、小箱の前壁３１１ｄとなる小箱の前壁パネルＰ２５ｄを有している。小箱の前壁パネルＰ２５ｄには、小片９ｄとなる切欠きＣ４ｄが形成されている。また、小箱の前壁パネルＰ２５ｄの両側縁には、小箱の側壁３１３ｄとなる小箱の側壁パネルＰ２６ｄ，Ｐ２６ｄが連なっている。また、小箱の前壁パネルＰ２５ｄの上縁には、小箱の下壁３１４ｄとなる小箱の下壁パネルＰ２７ｄが連なっている。また、小箱の下壁パネルＰ２７ｄの上縁には、小箱の後壁３１２ｄとなる小箱の後壁パネルＰ２８ｄが連なっている。この小箱の後壁パネルＰ２８ｄには、小片９ｄとなる切欠きＣ４ｄが形成されている。また、小箱の後壁パネルＰ２８ｄの両側縁には、小箱の側壁３１３ｄを補強する小箱のインナサイドフラップＰ２９ｄ，Ｐ２９ｄが連なっている。また、小箱のインナサイドフラップＰ２９ｄ，Ｐ２９ｄの下縁には、小箱のインナボトムフラップＰ３０ｄが連なっており、これら小箱のインナボトムフラップＰ３０ｄは小箱の下壁パネルＰ２７ｄに重ね合わされ、小箱の下壁３１４ｄの補強をなす。
【０１０２】
連結領域Ｒ５ｄは、連結プレート４ｄとなる連結パネル３１ｄを有している。連結パネル３１ｄには、直線状の折れ部４１ｄとなるラインＬ４ｄが形成されている。
【０１０３】
上述した第２ブランクＢ２ｄは、図１５中破線で示した折り込み線で夫々折り込まれる。その結果、図１４に示すような小箱３ｄ、接続部８ｄ、連結プレート４ｄが成形される。第２ブランクＢ２ｄの接続領域Ｒ３ｄ−１，Ｒ３ｄ−２，Ｒ３ｄ−３においては、各折り込み線で折り込まれることで接続部８ｄが成形される。第２ブランクＢ２ｄの小箱領域Ｒ４ｄ−１，Ｒ４ｄ−２，Ｒ４ｄ−３では、小箱のインナボトムフラップＰ３０ｄが小箱の下壁パネルＰ２７ｄに重ねられ、小箱のインナサイドフラップＰ２９ｄが小箱の側壁パネルＰ２６ｄに接着されることで、小箱３ｄが成形される。
【０１０４】
図１６Ａから図１６Ｄに示すように、パッケージ１００ｄにおいても、小箱３ｄは、リッド２ｄの開閉に連動して昇降する。図１６Ａ、及び図１６Ｃに示すように、リッド２ｄが閉状態では、リッド２ｄがパッケージ本体１ｄの後方以外の面を覆っている。
【０１０５】
図１６Ｂ、及び図１６Ｄに示すように、リッド２ｄの回動に連動して、連結プレート４ｄが徐々に引き上げられ、上昇すると、リッド２ｄに連動して舌状片５ｄが第１ヒンジＨ１を軸として回動し、連結プレート４ｄを上昇させる。連結プレート４ｄが上昇すると、第３接続部８３ｄの後方接続部８１２ｄの折畳部８１３ｄに続いて、第２接続部８２ｄの後方接続部８１２ｄの折畳部８１３ｄ、更に、第１接続部８１ｄの後方接続部８１２ｄも伸び始める。その結果、全ての小箱３ｄが上昇する。また、後方小箱３３ｄが最も高く上昇し、次に、中央小箱３２ｄが高く上昇し、最後に、前方小箱３１ｄが上昇する。また、パッケージ１００ｄは、パッケージ１００ａと同様に、パッケージ本体の前壁１１ｄの高さ寸法が、小箱３ｄの高さ寸法の半分程度に設計されている。そのため、小箱３ｄの下部では前後方向の移動が規制されるが、上部では前後方向の移動が許容される。その結果、小箱３ｄの上部では、小箱３ｄ同士の間隔が広くなる。一方、小箱３ｄの下部では、上記のように前後方向への移動が規制されているため、小箱３ｄ同士の間隔が狭くなる。その結果、パッケージ１００ａと同様に、小箱３ｄ同士の間隔は、下方は狭く、上方に向かって徐々に更に広がるようになる。その結果、小箱３ｄに収容されたシガレット６は、側面視扇状に広がる。
【０１０６】
＜＜効果＞＞
第４実施形態に係るパッケージ１００ｄにおいても、シガレット６を収容する小箱３ｄがリッド２ｄの開閉に連動して昇降する。そのため、リッド２ｄを開閉するだけで、換言すると、昇降するための動作を別途行うことなく、シガレット６が昇降するので、シガレット６をパッケージ１００ｄから容易に取り出すことができる。また、実施形態に係るパッケージ１００ｄは、舌状片５ｄを備えることで、パッケージ１００ａと同様に、強度も向上し、安定的に小箱３ｄを昇降することができる。また、舌状片５ｄの長さと連結プレートの折れ部４１ｄの位置を調整することで、昇降の移動範囲を調整することができ、例えば従来のパッケージよりも昇降の移動範囲を大きくすることができる。また、パッケージ１００ｄは、パッケージ１００ａと同様に、小箱３ｄが昇降するだけでなく、小箱３ｄ同士を接続する接続部８ｄによって、小箱３ｄ同士の間に間隔を形成することができる。その結果、シガレット６は、上昇するだけでなく、前後方向において互いに間隔が形成される。そのため、シガレット６がより掴み易く、パッケージ１００ｄから取り出しやすくなっている。更に、パッケージ１００ｄでは、小箱３ｄが列毎で区分けされ、更に、小箱３ｄには小片９ｄが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。更に、小箱３ｄの上端同士が接続されていないので、上端同士を接続する場合と比較して、小箱同士がより広がり易くなる。その結果、更にシガレット６が取り出しやすくなる。
【０１０７】
＜第５実施形態＞
第５実施形態に係るパッケージ１００ｅは、パッケージ本体１ｅ、及びリッド２ｅの構成が、第１実施形態のパッケージ１００ａと異なる。図１７Ａから図１７Ｄは、第５実施形態に係るパッケージの透視斜視図を示す。
【０１０８】
パッケージ本体１ｅは、シガレット６を収容するもので、直方体形状の上端側が斜めに切り欠かれるとともに、前方の上側半分程の面積が開放された形状を有する箱体である。パッケージ本体１ｅは、パッケージ本体の前壁１１ｅ、パッケージ本体の後壁１２ｅ、パッケージ本体の側壁１３ｅ、パッケージ本体の下壁１４ｅを有する。パッケージ本体の後壁１２ｅは縦長の長方形である。一方、パッケージ本体の前壁１１ｅは、パッケージ本体の後壁１２ａに比べて高さ寸法が半分程に形成されている。パッケージ本体の前壁１１ｅとパッケージ本体の後壁１２ｅは対向している。パッケージ本体の側壁１３ｅは、長方形の上端が曲線状の斜辺となった形状である。パッケージ本体の側壁１３ｅの上端縁１３１ｅは、パッケージ本体の前壁１１ｅ側が低くなるように傾斜している。また、パッケージ本体の側壁１３ｅには、リッド２ｅで覆われる位置、具体的には、前側縁の近傍かつ上下方向の中央付近に、横方向に向けて僅かに突出する側壁の爪１３２ｅが形成されている。側壁の爪１３２ｅは、リッド２ｅが閉状態において、リッドの側壁２３ｅの内側に形成される段差２３１ｅと係合する。これにより、リッド２の閉状態が維持される。
【０１０９】
パッケージ本体の側壁１３ｅは、パッケージ本体の前壁１１ｅ及びパッケージ本体の後壁１２ｅの両側縁と連結されている。但し、パッケージ本体の前壁１１eの上側の両側縁（パッケージ本体の前壁１１ｅとパッケージ本体の側壁１３ｅとの間に形成される角部の上側）には、切り込み７１ｅが形成されている。そのため、パッケージ本体の前壁１１ｅは、上側が前方に傾斜することが可能となっている。パッケージ本体の下壁１４ｅは、長方形であり、パッケージ本体の前壁１１ｅ、パッケージ本体の後壁１２ｅ、及びパッケージ本体の側壁１３ｅの下端縁に連結されている。また、パッケージ本体の後壁１２ｅには、第１実施形態のパッケージ１００ａと同様に、第１ヒンジＨ１、舌状片５ｅ、第２ヒンジＨ２、切り込み７ｅが形成されている。
【０１１０】
リッド２ｅは、パッケージ本体１ｅの開口を覆う。リッド２ｅは、パッケージ本体１ｅの上方に加えて、前方及び横方向の上側を覆う。リッド２ｅは、前方については、パッケージ本体の前壁１１ｅが存在しない領域を覆う。リッド２ｅは、第１ヒンジＨ１に連結されている長方形のリッドの後壁２２ｅと、リッドの上壁２４ｅと、一組のリッドの側壁２３ｅと、リッドの前壁２０ｅとを備える。リッドの後壁２２ｅは、リッドの前壁２０ｅと対向するが、その面積は、リッドの前壁２０ｅと比較すると小さい。リッドの前壁２０ｅは、ほぼ正方形であり、パッケージ本体１ｅの前方のうち、パッケージ本体の前壁１１ｅが存在しない領域を覆う。リッドの側壁２３ｅは、縦長の長方形のうち、後方側及び下方側の一部が切り欠かれた形状である。具体的には、後方の縁が、下方に向かって前方側に近づくように傾斜している。また、このように傾斜する後方の縁の下部から下方の縁にかけて湾曲している。リッドの側壁２３ｅの内側には、リッドの側壁２３ｅを補強するリッドのインナサイドフラップの端部からなる段差２３１ｅが形成されている。この段差２３１ｅは、リッド２ｅを構成する紙の厚さに相当する。そしてこの段差２３１ｅが、側壁の爪１３２ｅと係合する。
【０１１１】
リッドの上壁２４ｅとリッドの後壁２２ｅとの間の境界（閉状態において角部）には、パッケージ１００ａと同様に、第３ヒンジＨ３が形成されている。第３ヒンジＨ３は、リッドの後壁２２ｅの上端縁に形成され、後部間に亘って延伸している。第３ヒンジＨ３は、リッド２ｅの回動軸の一つとして機能する。
【０１１２】
連結プレート４ｅ、及び小箱３ｅは、第１実施形態に係るパッケージ１００ａの連結プレート４ａ、及び小箱３ａと同様の構成である。また、ブランクについては、第２ブランクは、第１実施形態と同様であるので説明は割愛し、以下、第１ブランクＢ１ｅについて説明する。
【０１１３】
図１８に示すように、第１ブランクＢ１ｅは、パッケージ本体１ｅとなる本体区域Ｒ１ｅ、リッド２ｅとなる蓋区域Ｒ２ｅを有している。本体区域Ｒ１ｅは、パッケージ本体の前壁１１ｅとなる本体の前壁パネルＰ１ｅを有しており、本体の前壁パネルＰ１ｅの両側縁には、パッケージ本体の側壁１３ｅとなる本体の側壁パネルＰ２ｅ,Ｐ２ｅが連なっている。また、本体の前壁パネルＰ１ｅの両側縁には、パッケージ本体の前壁１１ｅの上端縁から下方に向けて延び、切り込み７１ｅとなる直線状の切欠きＣ６ｅが形成されている。
【０１１４】
また、本体の前壁パネルＰ１ｅの上縁には、パッケージ本体の下壁１４ｅとなる本体の下壁（底板）パネルＰ３ｅが連なっている。本体の下壁パネルＰ３ｅには、本体の前壁パネルＰ１ｅとは反対側に位置してパッケージ本体の後壁１２ｅとなる本体の後壁パネルＰ４ｅが連なっている。本体の後壁パネルＰ４ｅの両側縁には、パッケージ本体の側壁１３ｅとなる本体のインナサイドフラップＰ５ｅ,Ｐ５ｅが連なっている。また、本体の側壁パネルＰ２ｅ,Ｐ２ｅの上縁には、本体のインナボトムフラップＰ６ｅが連なっており、これら本体のインナボトムフラップＰ６ｅは本体の下壁パネルＰ３ｅに重ね合わされ、パッケージ本体の下壁１４ｅの補強をなす。また、本体の後壁パネルＰ４ｅには、第２ヒンジＨ２となる第２ヒンジラインＬ２ｅ、第１ヒンジＨ１となる第１ヒンジラインＬ１ｅが形成されている。また、本体の後壁パネルＰ４ｅの両側縁には、リッドの後壁パネルＰ７ｅの第３ヒンジラインＬ３ｅから第２ヒンジラインＬ２ｅまで延び、切り込み７ｅとなる直線状の切欠きＣ１ｅが形成されている。更に、本体の後壁パネルＰ４ｅには、舌状片５ｅを形成するＵ字状の切欠きＣ２ｅが形成されている。
【０１１５】
蓋区域Ｒ２ｅは、リッドの後壁２２ｅとなるリッドの後壁パネルＰ７ｅを有している。リッドの後壁パネルＰ７ｅの上縁には、第３ヒンジＨ３となる第３ヒンジラインＬ３ｅを介して、リッドの上壁２４ｅとなるリッドの上壁パネルＰ８ｅが連なっている。リッドの上壁パネルＰ８ｅの両側縁には、リッドの側壁２３ｅの一部となるリッドのインナサイドフラップＰ９ｅ，Ｐ９ｅが夫々連なっている。また、リッドの上壁パネルＰ８ｅの上縁には、リッドの前壁２０ｅとなるリッドの前壁パネルＰ１０ｅが連なっている。更に、リッドの前壁パネルＰ１０ｅの両側縁には、リッドの側壁２３ｅとなるリッドの側壁パネルＰ１１ｅが夫々連なっている。リッドの側壁パネルＰ１１ｅの外側縁には、リッドの側壁２３ｅの一部となるとともに、段差２３１ｅを形成するためのリッドの第２インナサイドフラップＰ１３ｅ，Ｐ１３ｅが夫々連なっている。リッドの側壁パネルＰ１１ｅとリッドの第２インナサイドフラップＰ１３eは、両者の境界を形成する折り込み線で折り返され、間にリッドのインナサイドフラップＰ９ｅを挟み込み、リッドの側壁２３ｅを構成する。
【０１１６】
図１９、図２０Ａ、及び図２０Ｂに示すように、パッケージ１００ｅにおいても、小箱３ｅは、リッド２ｅの開閉に連動して昇降する。図１９（ａ）及び図２０Ａ（ａ）に示すように、リッド２ｅが閉状態では、リッド２ｅがパッケージ本体１ｅの上方及び横方向及び前方の上側の面を覆っている。図１９（ｂ）、及び図２０Ａ（ｂ）に示すように、回動序盤では、リッド２ｅは、主に第３ヒンジＨ３を軸に回動し始める。リッド２ｅの開閉に連動して舌状片５ｅが第１ヒンジＨ１を軸として回動し始める。その際、舌状片５ｅは、連結プレート４ｅを前方に押しながら、連結プレート４ｅを上昇させる。
【０１１７】
図１９（ｃ）、及び図２０Ｂ（ｃ）に示すように、回動中盤では、リッド２ｅの回動に連動して、連結プレート４ｅが徐々に引き上げられ、上昇し始める。また、リッド２ｅに連動して舌状片５ｅが第１ヒンジＨ１を軸として更に回動する。その際、舌状片５ｅは、連結プレート４ｅを前方に押しながら、連結プレート４ｅを更に上昇させる。パッケージ本体の前壁１１ｅは、上側が前方に傾斜することが可能となっている。そのため、第１実施形態に係るパッケージ１００ａと同様の原理により、小箱３ｅ同士の間隔は、下方が狭く、上方に向かって徐々に広がるようになる。
【０１１８】
図１９（ｄ）、及び図２０Ｂ（ｄ）に示すように、回動終盤では、リッド２ｅの回動に連動して、連結プレート４ｅが更に引き上げられ、上昇する。また、リッド２ｅに連動して舌状片５ｅが第１ヒンジＨ１を軸として更に回動する。その際、舌状片５ｅは、連結プレート４ｅを前方に押しながら、連結プレート４ｅを更に上昇させる。パッケージ本体の前壁１１ｅは、内側から押されることで上側が前方に傾斜する。そして、第１実施形態に係るパッケージ１００ａと同様の原理により、小箱３ｅ同士の間隔は、下方は狭いままで、上方に向かって徐々に更に広がるようになる。その結果、小箱３ｅに収容されたシガレット６は、側面視扇状に広がる。
【０１１９】
＜＜効果＞＞
第５実施形態に係るパッケージ１００ｅにおいても、シガレット６を収容する小箱３ｅがリッド２ｅの開閉に連動して昇降する。そのため、リッド２ｅを開閉するだけで、換言すると、昇降するための動作を別途行うことなく、シガレット６が昇降するので、シガレット６をパッケージ１００ｅから容易に取り出すことができる。また、実施形態に係るパッケージ１００ｅは、舌状片５ｅを備えることで、パッケージ１００ａと同様に、強度も向上し、安定的に小箱３ｅを昇降することができる。また、舌状片５ｅの長さと連結プレートの折れ部４１ｅの位置を調整することで、昇降の移動範囲を調整することができ、例えば従来のパッケージよりも昇降の移動範囲を大きくすることができる。また、パッケージ１００ｅは、パッケージ１００ａと同様に、小箱３ｅが昇降するだけでなく、小箱３ｅ同士を接続する接続部８ｅによって、小箱３ｅ同士の間に間隔を形成することができる。その結果、シガレット６は、上昇するだけでなく、前後方向において互いに間隔が形成される。そのため、シガレット６がより掴み易く、パッケージ１００ｅから取り出しやすくなっている。更に、パッケージ１００ｅでは、小箱３ｅが列毎で区分けされ、更に、小箱３ｅには小片９ｅが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。また、パッケージ１００ｅは、リッドの下壁を有さず、下方が開放されているため、パッケージ１００ａと比較して、リッド２ｅの開閉が容易である。
【０１２０】
＜第６実施形態＞
上述した実施形態では、舌状片５ａ〜５ｅの一例として、第１ヒンジＨ１の中央付近から下方に向けて形成された態様について説明した。舌状片は、上記態様に限定されるものではなく、例えば、第１ヒンジＨ１の両端部付近から下方に向けて形成されたものでもよい。図２１は、第６実施形態に係るパッケージ１００ｆを後方から見た斜視図を示す。パッケージ１００ｆは、舌状片５ｆが、第１ヒンジＨ１の端部近傍に２カ所設けられている。また、舌状片５ｆは、矩形状である。その他の構成については、パッケージ１００ａと同様である。
【０１２１】
＜第７実施形態＞
上述した実施形態では、例えば第１実施形態を例にとると、パッケージ本体１ａ及びリッド２ａを成形する第１ブランクＢ１ａと、連結プレート４ａ及び小箱３ａを成形する第２ブランクＢ２ａとを別ブランクで構成した。ブランクは、上記態様に限定されるものではなく、例えば、パッケージ本体１ａ及びリッド２ａを成形する第１ブランクＢ１ａと、連結プレート４ａ及び小箱３ａを成形する第２ブランクＢ２ａとを一体的に成型してもよい。図２２は、第７実施形態に係るパッケージのブランクを示す。第７実施形態のパッケージ１００ｇを構成するブランクは、リッドのインナボトムフラップＰ１４ａと、第一実施形態よりも長く形成された連結パネルＰ３１ａとが連なることで一体的に成型されている。なお、上述した実施形態では、例えば小箱と連結パネルを一体的に成型したが、両者を別ブランクで構成し、連結するようにしてもよい。小箱同士、パッケージ本体とリッドに関しても、両者を別ブランクで構成し、連結するようにしてもよい。
【０１２２】
以上、本発明の好適な実施形態を説明したが、本発明に係るパッケージは、可能な限り各実施例を組み合わせて実施することができる。また、本実施形態では、パッケージに収容する被収容物の好適な適用例として、フィルタシガレットや両切シガレット等のたばこ商品を挙げたが、これには限定されず、たばこ商品以外の物品をパッケージに収容してもよい。
【０１２３】
例えば、パッケージは、パッケージ本体とリッドとを分離自在なもので構成してもよい。この場合、連結パネルは、リッドの回動に連動させず、ユーザが把持して昇降させるようにしてもよい。また、小箱３ａの数は、３個である必要は無く、例えば、２個、若しくは４個以上としてもよい。また、小箱３３ａ等に収めるシガレットの数は、特に限定されない。すなわち、小箱３ａ等の横方向の長さを第１実施形態等よりも短くして、第１実施形態等よりも少ない本数のシガレットを収容できるようにしてもよい。また、小箱３ａ等の横方向の長さを第１実施形態等よりも長くして、第１実施形態等よりも多い本数のシガレットを収容できるようにしてもよい。
【符号の説明】
【０１２４】
１ａ〜１ｆ・・・パッケージ本体
２ａ〜２ｆ・・・リッド
３ａ〜３ｆ・・・小箱
４ａ〜４ｆ・・・連結プレート
５ａ〜５ｆ・・・舌状片
６・・・シガレット
７ａ・・・切り込み
８ａ〜８ｆ・・・接続部
１００ａ〜１００ｇ・・・パッケージ（ヒンジリッドパッケージ）
Ｈ１・・・第１ヒンジ
Ｈ２・・・第２ヒンジ
Ｈ３・・・第３ヒンジ
【図１Ａ】
2015141013.tif 000003
【図１Ｂ】
2015141013.tif 000004
【図１Ｃ】
2015141013.tif 000005
【図１Ｄ】
2015141013.tif 000006
【図２Ａ】
2015141013.tif 000007
【図２Ｂ】
2015141013.tif 000008
【図２Ｃ】
2015141013.tif 000009
【図２Ｄ】
2015141013.tif 000010
【図２Ｅ】
2015141013.tif 000011
【図２Ｆ】
2015141013.tif 000012
【図３Ａ】
2015141013.tif 000013
【図３Ｂ】
2015141013.tif 000014
【図４】
2015141013.tif 000015
【図５】
2015141013.tif 000016
【図６】
2015141013.tif 000017
【図７】
2015141013.tif 000018
【図８Ａ】
2015141013.tif 000019
【図８Ｂ】
2015141013.tif 000020
【図９Ａ】
2015141013.tif 000021
【図９Ｂ】
2015141013.tif 000022
【図９Ｃ】
2015141013.tif 000023
【図９Ｄ】
2015141013.tif 000024
【図１０】
2015141013.tif 000025
【図１１】
2015141013.tif 000026
【図１２】
2015141013.tif 000027
【図１３Ａ】
2015141013.tif 000028
【図１３Ｂ】
2015141013.tif 000029
【図１３Ｃ】
2015141013.tif 000030
【図１３Ｄ】
2015141013.tif 000031
【図１４】
2015141013.tif 000032
【図１５】
2015141013.tif 000033
【図１６Ａ】
2015141013.tif 000034
【図１６Ｂ】
2015141013.tif 000035
【図１６Ｃ】
2015141013.tif 000036
【図１６Ｄ】
2015141013.tif 000037
【図１７Ａ】
2015141013.tif 000038
【図１７Ｂ】
2015141013.tif 000039
【図１７Ｃ】
2015141013.tif 000040
【図１７Ｄ】
2015141013.tif 000041
【図１８】
2015141013.tif 000042
【図１９】
2015141013.tif 000043
【図２０Ａ】
2015141013.tif 000044
【図２０Ｂ】
2015141013.tif 000045
【図２１】
2015141013.tif 000046
【図２２】
2015141013.tif 000047
【国際調査報告】
2015141013.tif 000048
2015141013.tif 000049
2015141013.tif 000050
2015141013.tif 000051